(57)【要約】【課題】底壁外周から周壁を起立し、かつ周壁内面の側方一部から周壁内へ把手を突出する合成樹脂製の容器密閉用中栓において、容器体口部からの抜出しが容易な中栓を提案する。【解決手段】底壁外周から起立する周壁３内面の一方側部から、周壁内方へ把手５を突出する把手付き中栓１において、把手の基部５ａ上面部分と、該把手基端が植設されている、周壁内面の上方部分との間に凹溝６を形成した。【選択図】  図１
2004149181.tif 000002
【特許請求の範囲】
【請求項１】
底壁２外周から起立する周壁３内面の一方側方から把手５を周壁内方へ突出する合成樹脂製の把手付き中栓において、
上記把手の基部５ａ上面部分と、該把手基端が植設されている周壁内面の上方部分との間に凹溝６を形成して、中栓１に対して把手を上方へ引上げたとき、把手基部５ａの上方部分が上記凹溝６内へ移動可能に形成した
ことを特徴とする容器密閉用中栓。
【請求項２】
上記周壁３内面の上端部に、上向き段部７と大内径部８とで形成した凹部９を周設させると共に、上向き段部７下方の周壁内面部分に把手基端面の下半部を植設させて上半部を起立させ、該基端面上半部と、該上半部と対向する大内径部８部分との間の凹部部分を凹溝６とした
ことを特徴とする、請求項１記載の容器密閉用中栓。
【請求項３】
上記把手基端面植設部分下方の周壁内面部分に、基端面植設部分と連続させてリブ１１を縦設させた
ことを特徴とする、請求項１又は２記載の容器密閉用中栓。
【請求項４】
中栓周壁３を、周壁下方に設けた小内径部２１上端から拡径壁部２２を介して大内径周壁部２３を連続させて起立させ、
小内径部２１内壁面に基端面を植設させた把手基部５ａを拡径壁部２２の内上方へ起立させて、該把手基部５ａと大内径周壁部２３の下部との間の間隙を凹溝６，６とした
ことを特徴とする、請求項１記載の容器密閉用中栓。
【請求項５】
底壁２外周から起立する周壁３上端に外向きフランジ４を付設すると共に、周壁上端部内面から周壁内方へ把手５を突出する合成樹脂製の把手付き中栓において、
上記周壁および外向きフランジの上面が形成する中栓上面の一部内方部分を上方へ隆起させて、
該隆起部４１の内面と該隆起部内面下方の周壁上端部内面とが形成する両内面部分を把手基端植設部分となし、
上記隆起部４１の外面４１ａ  と、該隆起部外面下方の中栓上面部分４２とが形成する窪み部４３内へ、中栓に対して把手５を起立させたとき上記隆起部外方の上方部分が移動可能に形成した
ことを特徴とする容器密閉用中栓。
【請求項６】
底壁２外周から起立する周壁３内面上端の一方側部から把手５を周壁内方へ突出する合成樹脂製の把手付き中栓において、
周壁３内面への把手５基端植設部分下方の周壁内面部分へ、把手基端部下面と連続させて縦リブ１１を縦設した
ことを特徴とする容器密閉用中栓。
【請求項７】
上記把手５を、弯曲する帯状として両端面を周壁３内面へ植設させた
ことを特徴とする、請求項１、２、３、４、５、又は６記載の容器密閉用中栓。
【請求項８】
上記把手５を、連続杆３１先端へリング３２を付設した形状となし、連続杆基端面を周壁３内面へ植設させた
ことを特徴とする、請求項１、２、３、４、５、又は６記載の容器密閉用中栓。
【発明の詳細な説明】
【０００１】
【発明の属する技術分野】
本発明は容器密閉用中栓に関する。
【０００２】
【従来の技術】
容器密閉用中栓は、弾性ある合成樹脂材で底壁外周から起立させた周壁上端に外向きフランジを付設し、かつ例えば特開２０００−９５２５８号のように底壁外周部上面から起立させた支持杆上端にプルリングを横設させたり、又周壁内面の上端部からＣ字状の把手を周壁内方へ突出させて形成されている（例えば特許文献１参照）。
【０００３】
【特許文献１】
特開平１１−３１０２５５  号公報
【０００４】
【発明が解決しようとする課題】
上記後者の中栓のように、中栓周壁の上端部内面からＣ字状ないしＵ字状の把手を周壁内方へ突出する中栓にあっては、容器体口頸部の上端部内面への中栓嵌合状態から、把手を上方へ引き上げすることで中栓を口頸部内から抜き出すこととなるが、中栓周壁が口頸部内面へ密着しているため中栓抜出しに力を要し、特に容器体内液体を高温殺菌したような場合は、容器体内が負圧化しているので更に中栓は抜け難くなる。
【０００５】
本発明は、把手を介しての中栓抜出しが容易であるよう設けたものである。
【０００６】
本発明は、把手を、中栓に対して上方へ引き上げたとき、把手の基部の上方部分と下方部分とに、把手植設部分下方の中栓周壁部分が容器体口頸部内壁面から離れる方向への力が作用して、該作用により口頸部内壁面への上記中栓周壁部分の密着力が弱められ、よって、中栓引抜きが容易となるよう設けたものである。
【０００７】
【課題を解決するための手段】
第１の手段として、底壁２外周から起立する周壁３内面の一方側方から把手５を周壁内方へ突出する合成樹脂製の把手付き中栓において、
上記把手の基部５ａ上面部分と、該把手基端が植設されている周壁内面の上方部分との間に凹溝６を形成して、中栓１に対して把手を上方へ引上げたとき、把手基部５ａの上方部分が上記凹溝６内へ移動可能に形成した。
【０００８】
第２の手段として、上記第１の手段を有すると共に、上記周壁３内面の上端部に、上向き段部７と大内径部８とで形成した凹部９を周設させると共に、上向き段部７下方の周壁内面部分に把手基端面の下半部を植設させて上半部を起立させ、該基端面上半部と、該上半部と対向する大内径部８部分との間の凹部部分を凹溝６とした。
【０００９】
第３の手段として、上記第１又は第２の手段を有すると共に、上記把手基端面植設部分下方の周壁内面部分に、基端面植設部分と連続させてリブ１１を縦設させた。
【００１０】
第４の手段として、上記第１の手段を有すると共に、中栓周壁３を、周壁下方に設けた小内径部２１上端から拡径壁部２２を介して大内径周壁部２３を連続させて起立させ、
小内径部２１内壁面に基端面を植設させた把手基部５ａを拡径壁部２２の内上方へ起立させて、該把手基部５ａと大内径周壁部２３の下部との間の間隙を凹溝６，６とした。
【００１１】
第５の手段として、底壁２外周から起立する周壁３上端に外向きフランジ４を付設すると共に、周壁上端部内面から周壁内方へ把手５を突出する合成樹脂製の把手付き中栓において、
上記周壁および外向きフランジの上面が形成する中栓上面の一部内方部分を上方へ隆起させて、
該隆起部４１の内面と該隆起部内面下方の周壁上端部内面とが形成する両内面部分を把手基端植設部分となし、
上記隆起部４１の外面４１ａ  と、該隆起部外面下方の中栓上面部分４２とが形成する窪み部４３内へ、中栓に対して把手５を起立させたとき上記隆起部外方の上方部分が移動可能に形成した。
【００１２】
第６の手段として、底壁２外周から起立する周壁３内面上端の一方側部から把手５を周壁内方へ突出する合成樹脂製の把手付き中栓において、
周壁３内面への把手５基端植設部分下方の周壁内面部分へ、把手基端部下面と連続させて縦リブ１１を縦設した。
【００１３】
第７の手段として、上記第１、第２、第３、第４、第５、又は第６の手段を有すると共に、上記把手５を、弯曲する帯状として両端面を周壁３内面へ植設させた。
【００１４】
第８の手段として、上記第１、第２、第３、第４、第５又は第６の手段を有すると共に、上記把手５を、連続杆３１先端へリング３２を付設した形状となし、連続杆基端面を周壁３内面へ植設させた。
【００１５】
【発明の実施の形態】
以下図面について説明する。まず図１と図２とが示す第１実施形態について説明すると、１は、底壁２外周から周壁３を起立し、該周壁上端に外向きフランジ４を付設し、又その周壁内面の一部側方の上端部からは、図１が示すように平面Ｕ字形状の把手５を、周壁３内方へ突出させた中栓である。該中栓は適宜弾性を有する合成樹脂材により一体成形する。尚上記外向きフランジ４の外周面からは弾性薄肉部４ａをほぼ等間隔に複数突出させているが、これ等は個別に設けなくてもよく、全体をフランジ状に連続させて外向きフランジの外周部としてもよい。
【００１６】
上記把手５は、その両端部の基端を周壁上部の内面へ植設させており、又その基部５ａ，５ａ  の上面と、該基部の基端面が植設されている周壁内面上方部分との間には凹溝６，６を形成させている。
【００１７】
図示例の場合は、その凹溝を次のようにして形成させている。即ち、予め周壁３上端の内面には、上向き段部７と該上向き段部上方の周壁部分に形成させた大内径部８とで形成した凹部９を周設させておき、把手基端面の下部を上向き段部７下方の周壁部分内面へ植設させてその基端面上部を上内方へ傾斜させ、該傾斜部分が形成する基部上面１０，１０  と、該基部上面と向合う大内径部分との間に凹溝６，６を形成している。これ等凹溝は、中栓に対して把手を弾性に抗し引上げたとき、図２が二点鎖線で示すように、上記基部上面１０，１０  および該上面下方の基部上部が凹溝内へ移動するよう設けるものとする。
【００１８】
上記第１実施形態が示す中栓１は、図３、図４が示す変形例のようにしてもよい。該変形例は周壁３内面へ植設させた、把手基端面下方の周壁内面部分へ、リブ１１，１１  を縦設させたものである。図示例では周壁下端までリブを縦設させたが、適当長さに縦設させればよい。
【００１９】
図５と図６とは第２実施形態を示す。該実施形態は中栓周壁３の下部を、下方小径のテーパ状をなす小内径部２１とすると共に、該小内径部の上端から斜上外方へ拡開する拡径壁部２２を介して大内径周壁部２３を起立させ、又上記小内径部の内壁面へ、上方からみてＵ字形状の把手５基端を植設させ、把手基部５ａ，５ａ  を拡径壁部２２の内上方へ起立させて、その把手基部と大内径周壁部２３下部との間の間隙を凹溝６，６とした。その他部分は第１実施形態の場合と同様に形成すればよい。尚上記Ｕ字形状部分は弯曲する帯状としてその両端面を植設してもよい。
【００２０】
図７は第３実施形態を示す。該実施形態にあっては、把手５を連続杆３１先端へリング３２を付設した形状となし、その連続杆基端を周壁３の上端部内面へ連続させている。尚基部上面と周壁上端部内面との間には凹溝６を形成している。該凹溝は、既述第１実施形態の場合のように、周壁３の上端部に上向き段部７を周設し、該上向き段部上方の周壁部分を大内径部８として、これ等上向き段部７と大内径部８とで形成させた凹部９を周壁の上端部内面へ周設し、又その凹部下方一部の周壁部分へ、連続杆３１基端面の下半部を連続させ、該基端面上半を上内方への傾斜面とし、該基端面上半と対向する大内径部分とで凹溝６を形成している。尚連続杆およびリングはほぼ水平に、かつ周壁３内面とリング３２とはほぼ同軸に設けている。
【００２１】
その他部分は第１実施形態の場合と同様に形成すればよい。
【００２２】
図８は第４実施形態を示す。該実施形態にあっては、周壁３および外向きフランジ４の上面が形成する中栓上面の一部内方部分を上方へ隆起させて、該隆起部４１の内面と該隆起部内面下方の周壁上端部内面とが形成する両内面部分を把手基端の植設部分となし、上記隆起部の外面４１ａ  と該隆起部外面下方および外方の中栓上面部分４２とが形成する窪み部４３内へ、中栓１に対して把手５を起立させたとき、上記隆起部４１外方の上方部分が移動可能に形成した。
【００２３】
尚図８の把手５は、既述図１のようなＵ字形状でもよく、又図７のような連続杆先端にリングを付設した形状でもよく、Ｕ字形状の場合は把手基端は二箇所となるから、それ等二箇所に上記隆起部および窪み部４３を形成することとなる。他の部分は第１実施形態の場合と同じである。
【００２４】
図９は第５実施形態を示す。該実施形態は、図４における凹溝６，６の穿設を省略するが、把手基端下面と連続させて、その下方周壁部分内面へ縦設したリブ１１，１１  は、そのまま残したものである。その他部分は第１実施形態と同様に形成する。
【００２５】
【発明の効果】
本発明は既述構成とするもので、請求項１記載のように形成することで、容器体口頸部の上部内へ中栓１を嵌合させた状態から、把手５を引き上げたとき、把手基部５ａ上方部分が凹溝６内へ移動することで、該把手をほぼ垂直上方へ起立させることが出来、従って把手基部の下方部分は、該把手基部下方の中栓周壁部分が口頸部内壁面へ密着する力を弱める作用をすることとなり、よって該把手を介して中栓を口頸部内から抜き出すことが容易となる。
【００２６】
請求項２記載のように形成することで、上記凹溝６の形成が容易となり、又凹部１９の周設によって、把手上方引上げの支点としての把手基部の上方部分を把手基部の外方側に移動させることが出来、更に中栓の上方引抜きが容易となる。
【００２７】
請求項３のようにすることで、上記把手基部の下方部分を、リブ１１上端の内面側へ移動させることが出来、よって中栓の上方引抜きが容易となる。
【００２８】
請求項４のようにすることで、凹溝６の形成が容易である。
【００２９】
請求項５の場合も、窪み部４３が上記凹溝６と同様の機能を果たすこととなり、よって中栓の引抜きが容易となる。
【００３０】
請求項６の場合も請求項３の場合のように、把手基部の下方部分を、リブ１１上端の内面側へ移動させることが出来、よって把手基部下方の中栓周壁部分が口頸部内壁面へ密着する力を弱める作用を大とし、中栓の引抜きが容易となる。
【００３１】
請求項７および８のようにすることで、中栓取外しが容易な把手とすることが出来る。
【図面の簡単な説明】
【図１】本発明中栓の平面図である。
【図２】図１中栓を、容器体口部内へ嵌合させた状態で示す、要部拡大断面図である。
【図３】図１中栓の変形例を示す、断面図である。
【図４】図３中栓を、容器体口部内へ嵌合させた状態で示す、要部拡大断面図である。
【図５】第２実施形態で示す、中栓の断面図である。
【図６】図５中栓の要部拡大断面図である。
【図７】第３実施形態で示す、一部を切欠いた中栓の斜視図である。
【図８】第４実施形態で示す、中栓一部の断面図である。
【図９】第５実施形態で示す、中栓一部の断面図である。
【符号の説明】
１…中栓                                ２…底壁
３…周壁                            ５…把手
６…凹溝                ７…上向き段部
９…凹部                              ２２…拡径壁部
２３…大内径周壁部
【図１】
2004149181.tif 000003
【図２】
2004149181.tif 000004
【図３】
2004149181.tif 000005
【図４】
2004149181.tif 000006
【図５】
2004149181.tif 000007
【図６】
2004149181.tif 000008
【図７】
2004149181.tif 000009
【図８】
2004149181.tif 000010
【図９】
2004149181.tif 000011